【手続補正書】
【提出日】平成21年10月7日(2009.10.7)
【手続補正１】
【補正対象書類名】特許請求の範囲
【補正対象項目名】全文
【補正方法】変更
【補正の内容】
【特許請求の範囲】
【請求項１】
その前面が略垂直方向に延びるように設置される前面枠と、
該前面枠に取り付けられる遊技盤と、
該遊技盤の遊技領域へ遊技球を発射する発射装置と、
遊技者の回動操作によって前記発射装置の発射勢を調整する発射ハンドルと、を備えた遊技機であって、
前記前面枠における遊技盤の下方に配置され前記前面枠の前面から前方に突出するハンドル支持台と、
前記発射ハンドルに、前記遊技者の操作によって生じる摩擦力により前記発射ハンドルの回動を係止する発射ハンドル回動係止機構と、を設け、
該ハンドル支持台の上部に前記発射ハンドルを回動可能に設けるとともに、前記発射ハンドルをその回動中心軸が上下方向に延びるように配置し、
前記発射ハンドル回動係止機構は、
遊技者が押操作するハンドルボタンと、
このハンドルボタンが押し付けられる摩擦部材と、を備えたことを特徴とする遊技機。
【請求項２】
前記発射ハンドルの回動中心軸を、水平線に対する傾斜角度が垂直線に対する傾斜角度より大きくなるように配置したことを特徴とする請求項１に記載の遊技機。
【請求項３】
前記発射ハンドルは上方に向いたハンドル上面を有したことを特徴とする請求項２に記載の遊技機。
【請求項４】
前記前面枠に取り付けられる前面下部ハウジングを備え、
前面下部ハウジングは遊技球を貯留する下皿が設けられる下皿支持台を有し、
前記ハンドル支持台を下皿支持台に連接して一体形成したことを特徴とする請求項１から請求項３のいずれか一つに記載の遊技機。
【請求項５】
前記発射ハンドルは上方に向いたハンドル上面を有し、
前記ハンドルボタンを前記ハンドル上面から突出するように設けことを特徴とする請求項１から請求項４のいずれか一つに記載の遊技機。
【請求項６】
前記ハンドルボタンを発射ハンドルの回動中心軸の方向について移動可能に支持したことを特徴とする請求項１から請求項５にいずれか一つに記載の遊技機。
【請求項７】
前記ハンドルボタンを摩擦部材から離す上方向に付勢する押上スプリングを設けたことを特徴とする請求項１から請求項６のいずれか一つに記載の遊技機。
【請求項８】
前記摩擦部材として弾性体からなる摩擦パッドを設け、
前記ハンドルボタンに前記摩擦パッドに押し当てられるピンを設けたことを特徴とする
請求項１から請求項７のいずれか一つに記載の遊技機。
【請求項９】
前記摩擦部材にハンドルボタンが回動する経路に沿って円弧状に湾曲して延びる係合溝を形成し、
前記ハンドルボタンに前記係合溝に押し当てられるウェッジ部を設けたことを特徴とする請求項１から請求項８のいずれか一つに記載の遊技機。
【手続補正２】
【補正対象書類名】明細書
【補正対象項目名】０００６
【補正方法】変更
【補正の内容】
【０００６】
第１の発明は、その前面が略垂直方向に延びるように設置される前面枠と、該前面枠に取り付けられる遊技盤と、該遊技盤の遊技領域へ遊技球を発射する発射装置と、遊技者の回動操作によって前記発射装置の発射勢を調整する発射ハンドルと、を備えた遊技機であって、前記前面枠における遊技盤の下方に配置され前記前面枠の前面から前方に突出するハンドル支持台と、前記発射ハンドルに、前記遊技者の操作によって生じる摩擦力により前記発射ハンドルの回動を係止する発射ハンドル回動係止機構と、を設け、該ハンドル支持台の上部に前記発射ハンドルを回動可能に設けるとともに、前記発射ハンドルをその回動中心軸が上下方向に延びるように配置し、前記発射ハンドル回動係止機構は、遊技者が押操作するハンドルボタンと、このハンドルボタンが押し付けられる摩擦部材と、を備えた。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
第５の発明は、ハンドルボタンを発射ハンドルのハンドル上面から突出するように設け
た。
【手続補正６】
【補正対象書類名】明細書
【補正対象項目名】００１３
【補正方法】変更
【補正の内容】
【００１３】
第６の発明は、ハンドルボタンを発射ハンドルの回動中心軸の方向について移動可能に
支持した。
【手続補正７】
【補正対象書類名】明細書
【補正対象項目名】００１４
【補正方法】変更
【補正の内容】
【００１４】
第７の発明は、ハンドルボタンを摩擦部材から離す上方向に付勢する押上スプリングを
設けた。
【手続補正８】
【補正対象書類名】明細書
【補正対象項目名】００１５
【補正方法】変更
【補正の内容】
【００１５】
第８の発明は、摩擦部材として弾性体からなる摩擦パッドを設け、ハンドルボタンに
摩擦パッドに押し当てられるピンを設けた。
【手続補正９】
【補正対象書類名】明細書
【補正対象項目名】００１６
【補正方法】変更
【補正の内容】
【００１６】
第９の発明は、摩擦部材にハンドルボタンが回動する経路に沿って円弧状に湾曲して
延びる係合溝を形成し、ハンドルボタンに係合溝に押し当てられるウェッジ部を設けた。
【手続補正１０】
【補正対象書類名】明細書
【補正対象項目名】００１８
【補正方法】変更
【補正の内容】
【００１８】
このため、発射ハンドルと前面枠の間に遊技球やコインなどを挟み込んで、発射ハンド
ルから手を離して遊技が行われる不正行為を防止することができる。
また、遊技者が発射ハンドルを一定の操作量に保持するのに、遊技者が発射ハンドル回動係止機構を操作して発射ハンドルの回動を摩擦力により係止することにより、遊技者が発射ハンドルを把持する必要がなくなり、長時間に渡って発射ハンドルを操作し続けても、疲労しにくい。
さらに、遊技者が発射ハンドルを一定の操作量に保持するのに、遊技者がハンドルボタンを押操作して摩擦部材との間に生じる摩擦力によって発射ハンドルの回動を係止することにより、遊技者が発射ハンドルを把持する必要がなくなり、長時間に渡って発射ハンドルを操作し続けることができる。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】変更
【補正の内容】
【００２４】
第５の発明によれば、ハンドル上面とハンドルボタンとが並んで設けられるため、遊技
者が発射ハンドルを回動させる操作と、ハンドルボタンを押す操作とを続けて円滑に行う
ことができ、遊技者が発射ハンドルの操作量を的確に調整し、保持することができる。
【手続補正１４】
【補正対象書類名】明細書
【補正対象項目名】００２５
【補正方法】変更
【補正の内容】
【００２５】
第６の発明によれば、遊技者が手の平をハンドルボタン上に載せて手にかかる重力によ
ってハンドルボタンを押操作することができ、長時間に渡ってハンドルボタンを操作し続
けることができる。
【手続補正１５】
【補正対象書類名】明細書
【補正対象項目名】００２６
【補正方法】変更
【補正の内容】
【００２６】
第７の発明によれば、遊技者がハンドルボタンを押操作する力を弱めると、押上スプリ
ングの付勢力によりハンドルボタンが摩擦部材から離され、発射ハンドルの回動が自由に
なり、発射ハンドルの回動操作が円滑に行われる。
【手続補正１６】
【補正対象書類名】明細書
【補正対象項目名】００２７
【補正方法】変更
【補正の内容】
【００２７】
第８の発明によれば、ハンドルボタンの押操作によって摩擦パッドはピンが当接した
部分が弾性変形して窪み、ピンの先端部と摩擦パッドとの間に生じる摩擦力によって発射
ハンドルの回動が的確に係止される。
【手続補正１７】
【補正対象書類名】明細書
【補正対象項目名】００２８
【補正方法】変更
【補正の内容】
【００２８】
第９の発明によれば、ハンドルボタンの押操作によって係合溝にウェッジ部が係合し
、係合溝とウェッジ部との間に生じる摩擦力によって発射ハンドルの回動が的確に係止さ
れる。